(57)【要約】【課題】光ディスクに、光ピックアップ動作可否判別機能を付加する。また所定の領域に清掃部材を設ける。【解決手段】デジタル信号１を記録した光ピックアップ清掃ディスク２演奏面内周に、レーザービーム３の集光、読み出しを、一切干渉しない基準反射率を満たす領域４を設け、この外周にクリーニング領域５に清掃部材６を設け、この領域外を複数に分割し、内側及び外側にそれぞれ比率を変え反射遮光ダウン率を有した領域７及び８をもうけ構成した。【選択図】    図４
2004362725.tif 000002
【特許請求の範囲】
【請求項１】
光ピックアップの機能状態をチェックするに適した信号を記録してある光ディスクにあって、該光ディスクの演奏面にレーザービームの集光、読み出しを妨げるための反射遮光処理を施したことを特長とする光ピックアップ機能正常可否判別ディスク。
【請求項２】
光ピックアップの動作状態をチェックする光りディスクに、光ピックアップ対物レンズを清掃するための清掃部材を、光ピックアップ対物レンズの対面部へ設けたことを特長とする請求項１記載の光ピックアップ機能正常可否判別ディスク。
【請求項３】
光ディスクには、チェックに適した信号を所定の領域に分けて記録し、その一部、あるいは複数の領域にレーザービームの集光、読み出しを妨げる反射遮光処理を施したことを特長とする請求項１及び請求項２記載の光ピックアップ機能正常可否判別機能ディスク。
【請求項４】
光ディスクには機能チェックに適した信号を同一領域に記録し、この機能チェック用データの記録された領域内のスタート地点、又は中間地点から、終了地点までの間において、レーザービームの集光、読み出しの能力を徐々に妨げる反射遮光処理を施したことを特長とする請求項１〜請求項３記載の光ピックアップ機能正常可否判別機能ディスク。
【請求項５】
光ディスク再生装置で機能チェックに適した信号を付加した光ディスクを再生することにより、反射遮光処理を施していない領域はもとより、それより数パーセントから数十パーセントの比率でレーザービームの集光、読み出し能力を妨げる反射遮光処理を施した領域でも正確に再生した場合、光ピックアップの性能は正常であると判断でき、反射遮光処理を施していない領域で再生が不正確であれば、光ピックアップの性能は本来の基準を満たしていないと判断できるように構成したことを特長とする請求項１〜請求項４記載の光ピックアップ機能正常可否判別機能ディスク。
【発明の詳細な説明】
【０００１】
【発明の属する技術分野】
本発明は、光ピックアップの動作状態のチェック、及び対物レンズ面のクリーニングに関するものである。
【０００２】
【従来の技術】
情報の記録再生に光学的な手段を使用するディスク状記録媒体としては、光ディスク及び光字磁気ディスク等が知られている。これらディスク状記録媒体は、デジタルの音楽メデアとしてＣＤ  ＭＤ、コンピュータ用の記憶メデアとしてＣＤ−ＲＯＭ、次世代映像メデアとしてＤＶＤ、等に利用されている。
この場合のソフトの再生又は読み取りは光ピックアップ装置で行われている。
光ピックアップ装置のレーザーの入出力には、該光ピックアップに設けられた対物レンズを使用しており該光ピックアップ対物レンズに付着した小さなゴミ、ホコリ等を取り除くため、光ピックアップ対物レンズに対面する光ディスク面に清掃部材を取り付け光ピックアップ装置でプレーすることによってクリーニングができるように構成されている。しかし光ピックアップ装置の動作状態が劣化し再生機能が低下した該ピックアップ装置のチェック方法が付加された光ディスクはない。
【０００３】
【発明が解決しようとする課題】
光ピックアップ対物レンズをディスクに配置した清掃部材でクリーニングする場合、回転動作により行われ、該清掃部材が光ピックアップ対物レンズのクリーニングを行いゴミ、ホコリ等は除去できる。
【０００４】
しかし光ピックアップの動作状態が劣化してくるとデフォーカス現象の発生又、レーザー半導体の劣化によるレーザービームのパワー不足等の不具合が生じ、光ピックアップ装置の誤り訂正等の補正回路の動作が正常に行われず、最悪の場合ドロップアウト等の現象が頻発し再生不能となる。
【０００５】
【課題を解決する手段】
本発明は、前記問題点を解決するため光ピックアップ対物レンズに対面する光ディスクに光ピックアップの機能の動作状態を、チェックするデジタル信号を記録した演奏面へレーザービームの集光、読み出しを必要に応じた量の分だけしか反射しないよう例えばドット印刷等で遮光し、該遮光のためのドットの大きさを一部、或いは連続的に変えた印刷等を施すことにより光ピックアップの性能の状態がチェックできる。又前記演奏面の所定の箇所に清掃部材を取り付けることにより、光ピックアップ対物レンズのクリーニングもできる。
【０００６】
【発明の実施と形態】
本発明は、光ピックアップの動作状態をチェックするデジタル信号を記録した光ディスクの演奏面の一部へ、反射遮光のドット印刷を施すが、印刷するドットの大小は、光ピックアップ装置の再生基準を最低限再生可能な範囲内の程度に印刷する。
【０００７】
光ディスクは、光ピックアップの動作状態をチェックするデジタル信号（音楽データ）を、例えば動作状態をチェックする領域を複数に分けて、内周よりそれぞれの領域毎に同じ内容の信号を用い、内周より一切干渉のない基準反射率を満たした領域を、その外周にはクリーニング部材を設けた領域を、以降外周に向けたディスク演奏面にはレーザービームが反射しにくくなるように領域毎に、ドットの大きさの比率をを変えて印刷しておき、光ピックアップの、各領域における動作状態で、該光ピックアップの性能が判断できる。
【０００８】
【実施例】
本発明の実施例を図１〜図５に依って説明する
光ピックアップの動作状態をチェックするに適したデジタル信号１（音楽、データ）を記録した光ディスク２の演奏面（光ピックアップと対面する）内周にレーザービーム３の集光、読み出しを、一切干渉しない基準反射率を満たす領域４を設け、この外周のクリーニング領域５に清掃部材６を取り付け、この領域外を複数に分割し、この内側をレーザービームの集光、読み出しの反射遮光率を１０パーセント前後ダウンのドット印刷をした反射遮光処理領域７を設け、外側は反射遮光率２０パーセント前後ダウンのドット印刷をした反射遮光処理領域８を構成している。
【０００９】
反射遮光処理領域７及び８は、レーザービームが透過する光ディスク演奏面にドット印刷するが、該ドットサイズ、色素、色、濃度、等は、光ピックアップ装置の再生基準を最低限再生可能な範囲内で構成している。
【００１０】
また本発明の、反射遮光処理の手法は以上に述べた以外に、反射遮光処理領域９のように、段階的に色や濃度を変え、該反射遮光率を変化させるグラデーション機能を利用した、反射遮光処理ドット印刷によるもので、光ピックアップの動作チェックを可能にしている。
【００１１】
【作用】
本発明の実施例の作用の一例を図４で説明する。
光ディスク再生装置の光ピックアップ動作チェック基準は基準内反射率領域４で正しく再生できない再生装置は、光ピックアップの不具合が考えられ、反射率を１０パーセント前後ダウンした領域７で再生できれば、光ピックアップの状態は良好、また反射率２０パーセント前後ダウンした領域８で再生できれば非常に良好と判断できる。
【００１２】
又、前記した反射率をダウンした各領域７、８で正しく再生ができない場合、光ピックアップ対物レンズをクリーニング領域５に取り付けた清掃部材６でクリーニングを行い、再度前記各領域７、８が正しく再生できれば、光ピックアップの対物レンズの汚れが原因であると判断できる。
【００１３】
【発明の効果】
本発明は以上説明したような形態で実施され、以下に記載されるような効果を奏する。
【００１４】
光ピックアップ対物レンズのクリーニングが容易にできる。
【００１５】
光ピックアップの動作可否判別が、レーザービームの反射遮光処理により容易にできるとともにクリーナーと連動したことにより、より効果的に光ピックアップの動作可否の判別ができる。
【図面の簡単な説明】
【図１】本発明の各領域組合せの実施例を示す平面図である。
【図２】本発明の各領域組合せの実施例を示す平面図である。
【図３】本発明の各領域組合せの実施例を示す平面図である。
【図４】本発明の各領域組合せの実施例を示す部分縦断面図である。
【図５】本発明の各領域組合せの実施例を示す部分縦断面図である。
【符号の説明】
１    ：デジタル信号
２    ：光ピックアップ清掃ディスク
３    ：レーザービーム
４    ：基準反射率を満たす領域
５    ：クリーニング領域
６    ：清掃部材
７    ：反射遮光率１０パーセント前後のドット印刷をした領域
８    ：反射遮光率２０パーセン前後のドット印刷をした領域
９    ：グラデーション機能で反射遮光処理ドット印刷をした領域
【図１】
2004362725.tif 000003
【図２】
2004362725.tif 000004
【図３】
2004362725.tif 000005
【図４】
2004362725.tif 000006
【図５】
2004362725.tif 000007